(57)【要約】【課題】  消火器を積載した消火器設置台が風などによって転倒することを防止すると同時に、初期消火に効果的である消火用水をも配置することができ、しかも容易に持ち運ぶことさえもできる消火器設置台を提供する。【解決手段】  上記課題は、消火器２と消火用水を収容した消火用水貯留容器８とを設置する消火器設置台１であって、該消火器設置台は、前記消火器を搭載する置台３と、前記消火用水貯留容器を契合保持する契合用環状部材５と、置台及び契合用環状部材を保持する背部材４とから構成され、該背部材の一方の側面に前記置台が設置され、該背部材の他方の側面に前記契合用環状部材が設置された消火器設置台により解決される。【選択図】            図３
2007300952.tif 000002
【特許請求の範囲】
【請求項１】
消火器と消火用水を収容した消火用水貯留容器とを設置する消火器設置台であって、該消火器設置台は、前記消火器を搭載する置台と、前記消火用水貯留容器を契合保持する契合用環状部材と、置台及び契合用環状部材を保持する背部材とから構成され、該背部材の一方の側面に前記置台が設置され、該背部材の他方の側面に前記契合用環状部材が設置されていることを特徴とする消火器設置台。
【請求項２】
前記契合用環状部材は、前記背部材に対して水平方向から鉛直上方方向へと回転可能に取り付けられ、背部材には契合用環状部材を固定するための繋止部材が設置されていることを特徴とする、請求項１に記載の消火器設置台。
【請求項３】
前記契合用環状部材は鋼製のリング体であって、前記繋止部材は磁力によってリング体を固定する磁気式接着器であることを特徴とする、請求項２に記載の消火器設置台。
【請求項４】
前記背部材の上部には、持ち運び用の取っ手が設置されていることを特徴とする、請求項１ないし請求項３の何れか１つに記載の消火器設置台。
【発明の詳細な説明】
【技術分野】
【０００１】
本発明は、風などによっても転倒することのない、消火器と消火用水を収容する消火用水貯留容器とを合わせて設置した消火器設置台に関するものである。
【背景技術】
【０００２】
初期消火に有効な消火器は、従来、壁面に収納して設置したり、消火器格納箱に収納して設置したり、消火器設置台に載せて設置したりしている。消火器を設置するときには、誰もが見える場所に「消火器」という法定の表示を施すことが義務付けされていることから、壁面収納では壁面に「消火器」の表示がなされ、消火器格納箱を用いたときには消火器格納箱の扉にその表示がなされ、消火器設置台を用いたときには消火器設置台の上部にその表示がなされるか、或いは「消火器」と表示した表示板を消火器設置台に取り付けて表示がなされていた。また、消火器は緊急時に使用されるものであるから、誰でもが自由に消火器を持ち出すことができるようになされている。
【０００３】
従来、かかる消火器の保管及び表示の手段として特許文献１が提案されている。特許文献１では、消火器を収納する壁掛収納ケースを提案しており、この壁掛収納ケースを用いることにより、壁に簡単に取り付けすることができて、消火器が置いてあることが、夜間でも遠方から一目で確認できるとしている。
【０００４】
また、特許文献２には、前記特許文献１の壁面収納に加えて、消火器の離脱報知機を設けることが提案されており、消火器が無断で設置場所から持ち出されたときには、人の視覚または聴覚に消火器が存在しないことを訴えることができるとしている。
【０００５】
また、暗闇でも容易に消火器の在る場所を知らせるために、特許文献３には、発光する表示板或いは照明に照らされる表示板を消火器の近傍に設置することが提案されており、夜間の火災で停電している場合や懐中電灯などの照明手段が手元にない場合でも、迅速に初期消火を行うことができるとしている。
【０００６】
また、特許文献４には、簡易手段としての消火器カバーが提案されており、火災発生時には迅速且つ容易に消火器を取り出して使用することができ、平常時には消火器全体を覆って消火器の汚れを防いだり、消火器の作動部が悪戯されるのを防いだりすることができるとしている。
【０００７】
また、特許文献５には、消火器を積置する基台と、この基台を支える背パネルとから構成され、消火器を基台から持ち上げたときに警報アラームを発する報知手段を備えた収納ユニットが提案されている。この収納ユニットを用いることで、消火器自体を外観露出させて設置することができ、消火器の存在を一見して視認でき、物が置かれる危惧を少なくし、たとえ物が置かれた状態であっても、収容ユニットからの上方への消火器の取り出しを可能とし、緊急時において確実に使用することができ、更に、前記報知手段により、消火器の無断持ち出しが防止され、且つ報知手段をＯＦＦ状態とする悪戯を防止できるとしている。
【０００８】
また更に、特許文献６には、消火器を受積する受台と、受台に挿脱自在のポールと、ポールに挿脱自在の表示ボードとを備えた消火器設置台が提案されている。従来の消火器設置台は、木製構造体などで分解組立を考慮しておらず、一つの固体として嵩張り、輸送性及び保管性が悪く、また箱形なので前方に出っ張り、これに足を引っかけたりして邪魔になるという点が全て解消されるとしている。
【特許文献１】実開平７−１８７４７号公報
【特許文献２】特開平９−１７３４８８号公報
【特許文献３】特開平１０−１３３６０５号公報
【特許文献４】特開２００２−２８２３７６号公報
【特許文献５】特開２００３−１８０８５５号公報
【特許文献６】特開２００５−４０３６４号公報
【発明の開示】
【発明が解決しようとする課題】
【０００９】
家庭用或いは室内用の消火器であるならば、上記提案の構造及び表示の手段で構わないが、人の出入りの多い工場及び作業事務所では、消火器はその出入口や火を使用している場所近辺の定位置に置かれている。この場合、人の出入りの邪魔にならないように置かれることから、室外に置かれることが多く、その場合には上記提案による消火器の保管手段では、壁面収納の場合を別として、風による消火器の転倒が多発して見苦しく、安全面でも問題があった。つまり、特許文献３，４，５，６による方法では消火器も表示も転倒してしまう。
【００１０】
また、壁面収納の場合には、室内では問題にならないものの、室外での壁面収納は雨水の侵入防止処置などが必要であり、壁面収納自体が高価な上に、より一層設置に費用が嵩むことになり、経済的問題がある。
【００１１】
また、高所で作業が行われるとき、溶接などからの火災の発生を想定し、その防止のために、消火器を携帯して作業を行うことがある。この場合、高所の作業場所周りの空間に消火器などを配置して作業を行うが、風などにより消火器の転倒が生じやすく、高所であれば消火器の落下事故も予防しなければならない。上記従来技術の壁面設置以外の手段では、消火器も表示も転倒し、最悪の場合にはその落下事故も想定しなければならないという問題がある。
【００１２】
また、消火器による消火は初期消火に有効であるが、初期消火においては消火用水を使用することも極めて有効である。しかしながら、上記従来技術は消火器のみを用いており、消火用水を利用することは考慮していない。
【００１３】
本発明は上記事情に鑑みてなされたもので、その目的とするところは、消火器を積載した消火器設置台が風などによって転倒することを防止すると同時に、初期消火に効果的である消火用水をも配置することができ、しかも容易に持ち運ぶことさえもできる消火器設置台を提供することである。
【課題を解決するための手段】
【００１４】
上記課題を解決するための第１の発明に係る消火器設置台は、消火器と消火用水を収容した消火用水貯留容器とを設置する消火器設置台であって、該消火器設置台は、前記消火器を搭載する置台と、前記消火用水貯留容器を契合保持する契合用環状部材と、置台及び契合用環状部材を保持する背部材とから構成され、該背部材の一方の側面に前記置台が設置され、該背部材の他方の側面に前記契合用環状部材が設置されていることを特徴とするものである。
【００１５】
第２の発明に係る消火器設置台は、第１の発明において、前記契合用環状部材は、前記背部材に対して水平方向から鉛直上方方向へと回転可能に取り付けられ、背部材には契合用環状部材を固定するための繋止部材が設置されていることを特徴とするものである。
【００１６】
第３の発明に係る消火器設置台は、第２の発明において、前記契合用環状部材は鋼製のリング体であって、前記繋止部材は磁力によってリング体を固定する磁気式接着器であることを特徴とするものである。
【００１７】
第４の発明に係る消火器設置台は、第１ないし第３の発明の何れかにおいて、前記背部材の上部には、持ち運び用の取っ手が設置されていることを特徴とするものである。
【発明の効果】
【００１８】
本発明に係る消火器設置台によれば、背部材の片側に消火器を搭載し、他方の片側に消火用水を収容した消火用水貯留容器を配置するので、消火器設置台がこれらの質量によって安定し、風などによって転倒することが防止される。また、消火器と同じ場所に消火用水を収容した消火用水貯留容器が設置されているので、火災が発生した場合には、消火器及び消火用水貯留容器、或いはどちらかの一方を手に取り、火災現場に行って消火活動を行うことができるので、初期消火が円滑に行われ、火災鎮火を効率的に実施することが可能となる。また、契合用環状部材を折りたたみ、折りたたんだ契合用環状部材を繋止部材を用いて背部材に固定した場合には、嵩張らないので、容易に消火器設置台を搬送することができる。
【発明を実施するための最良の形態】
【００１９】
以下、添付図面を参照して本発明を具体的に説明する。図１は、本発明に係る消火器設置台の概略側面図、図２は、図１のＸ−Ｘ’矢視による概略側面図、図３は、本発明に係る消火器設置台の概略斜視図である。尚、図３では、消火器設置台に消火器及び消火用水を収容する消火用水貯留容器を配置した状態を示している。
【００２０】
図１〜３に示すように、本発明に係る消火器設置台１は、市販の消火器２を搭載する置台３と、消火用水を収容した消火用水貯留容器８を契合保持する契合用環状部材５と、これらの置台３及び契合用環状部材５を保持するための枠形状の背部材４とから構成されていて、枠形状の背部材４の一方の側面に置台３が設置され、背部材４の他方の側面に契合用環状部材５が設置されている。置台３、背部材４及び契合用環状部材５は金属、木材、合成樹脂などで作製するが、堅固で安価であることから金属製が好ましい。
【００２１】
契合用環状部材５は、軸受６を介して背部材４に取り付けられており、図１及び図２の実線で示す位置から破線で示す位置まで上下方向に回転可能になっている。図１及び図２の実線で示す略水平位置から下方側には回転しないように、軸受６にはストッパー（図示せず）が備えられている。背部材４には、例えば磁気式接着器のような繋止部材７が設置されており、図１及び図２に示す破線位置まで回転した契合用環状部材５は繋止部材７によって背部材４に固定されるようになっている。繋止部材７が磁気式接着器の場合には、契合用環状部材５の先端に鋼板部材５ａを設けることによって契合用環状部材５の固定をより確実に行うことができる。契合用環状部材５を破線で示す位置で固定すれば嵩張らなく、消火器設置台１の運搬に便利である。尚、繋止部材７は、契合用環状部材５を倒れないようにするためのものであり、契合用環状部材５を保持できればよく、契合用環状部材５を係止できる契合部を有する構造としても構わない。
【００２２】
置台３の底部は平坦になっていて、消火器設置台１を所定の設置場所に配置したとき、置台３の底部が設置場所に密着して接触するようになっている。但し、置台３の底部は平坦であるので、前記設置場所は、水平線に対して傾斜していても構わないが、平坦である必要がある。勿論、傾斜勾配が大きくなると、消火器設置台１が滑り落ちる恐れがあることから、設置場所は水平であることが好ましい。
【００２３】
消火用水貯留容器８は、契合用環状部材５に保持されたときに、消火用水貯留容器８の底部が消火器設置台１の設置場所に密着して接触するようになっている。つまり、消火用水貯留容器８の形状に応じて契合用環状部材５の大きさ及び設置高さが決定され、消火用水貯留容器８がどのような形状であっても、その底部が設置場所に密着して接触するようになっている。この場合、消火用水貯留容器８は契合用環状部材５に契合保持されるとはいえども、消火用水貯留容器８の底部が設置場所に接触したとき、消火用水貯留容器８と契合用環状部材５とは密着する必要はなく、消火用水貯留容器８と契合用環状部材５との間に１０ｍｍ程度までの隙間が形成されても構わない。尚、図３では、消火用水貯留容器８としてバケツを例として用いており、契合用環状部材５はバケツの水平断面と同一の円形を呈している。契合用環状部材５の形状は、消火用水貯留容器８の水平断面形状に応じて円形、四角形、多角形などに適宜決めればよい。
【００２４】
このように、本発明に係る消火器設置台１では、背部材４の一方の側の置台３に搭載された消火器２の質量と、背部材４の他方の側の契合用環状部材５に保持される、消火用水を収容した消火用水貯留容器８の質量とにより、消火器設置台１の前後左右への傾斜が抑制され、かくして消火器設置台１の転倒が防止されるようになっている。
【００２５】
背部材４の高さは、消火器２の高さ寸法よりも長い寸法で構成されていて、消火器２の配置された側の消火器２よりも高い位置の背部材４の側面には、表示板９が設置されており、この表示板９に「消火器」という法定の表示が施されている。また、背部材４の上端部は取っ手１０を兼ねており、人手による消火器設置台１の運搬を容易にしている。
【００２６】
本発明に係る消火器設置台１はこのようにして構成されている。
【００２７】
消火器２は、断面が円形で且つ縦長であり、風或いは外力などで転倒しやすい。また、従来の消火器設置台は、例えば特許文献５，６に示されるように、消火器２を収容する部位の底部で安定を図っているが、従来の消火器設置台自体が消火器２よりも更に縦長で、且つ、消火器２よりも高い位置に「消火器」という法定の表示を行っているために、風或いは外力などで転倒しやすい状態にある。
【００２８】
これに対して本発明に係る消火器設置台１は、消火器２を収納する側とは反対側に、契合用環状部材５を介して消火用水を収容した消火用水貯留容器８を配置するので、従来の消火器設置台に比べて消火用水貯留容器８の質量分が余分に消火器設置台１に作用し、これが安定器の作用を果たして安定し、室外に置かれても風などによる消火器設置台１及び消火器２の転倒防止を実現する。また、高所作業においては、風が発生する或いは作業者が消火器設置台１に衝突するなどしても転倒が免れるため、作業場から下部への消火器設置台１及び消火器２の落下が防止でき、安全性を確保することができる。
【００２９】
更に、初期消火では、消火器２よりも消火用水の散水の方が有効な場合もあり、本発明に係る消火器設置台１を配置することで、消火用水の散水も可能となり、初期消火活動を効果的に行うことができる。更にまた、消火器２と消火用水を収容した消火用水貯留容器８との２つを備えているため、火災現場に運ぶとき、一人でも片方ずつに一度に持てるため、運搬姿勢が安定して運びやすいという利点もある。
【００３０】
尚、本発明は上記説明の範囲に限られるものではなく種々の変更が可能である。例えば、上記説明では背部材４と契合用環状部材５とは軸受６を介して接合されているが、蝶番などの他の機構を用いて取り付けても構わない。また、表示板９を背部材４の両方の側面に設置してもよい。
【図面の簡単な説明】
【００３１】
【図１】本発明に係る消火器設置台の概略側面図である。
【図２】図１のＸ−Ｘ’矢視による概略側面図である。
【図３】本発明に係る消火器設置台の概略斜視図である。
【符号の説明】
【００３２】
１  消火器設置台
２  消火器
３  置台
４  背部材
５  契合用環状部材
５ａ  鋼板部材
６  軸受
７  繋止部材
８  消火用水貯留容器
９  表示板
１０  取っ手
【図１】
2007300952.tif 000003
【図２】
2007300952.tif 000004
【図３】
2007300952.tif 000005